(57)【要約】      （修正有）【課題】宅配物のサイズに応じて、簡単な機構で収納部の大きさを変更できる、宅配ロッカーを提供する。【解決手段】宅配ロッカーでは、隣接するドア部４−１の対向端部には内方に延びる爪部１１−１が設けられ、隣接するドア部４−１の爪部１１−１を受ける開口部が仕切板８のドア４−１に対向する面に設けられ、ドア４−１が閉じられたときは隣接するドア部４−２の爪部１１−２が該開口部に収容され仕切板８をロックし、隣接する収容部３−１を１つの収容部として使用する場合には、隣接するドア部４−１、４−２をともに開け、それらの爪部１１−１，１１−２がともに該開口部から離脱すると、該仕切板８のロック状態が外れ回動・退去され隣接する２つの収容部で１つの収容部を形成可能となっている。【選択図】図３
2019118618.tif 000002
【特許請求の範囲】
【請求項１】
１) 箱型宅配ロッカー本体と、
２）宅配ロッカー本体に設けられた少なくとも２つの収容部と、
３）隣接する２つの収容部をロック状態で仕切り、内方端部の周りに一方向に回動可能とされた仕切板であって、隣接する２つの収容部を２つの収容部として使用する場合は該仕切板をロック状態で仕切り、隣接する２つの収容部を１つの収容部として使用する場合にはロック位置から回動・退去し隣接する２つの収容部で１つの収容部を形成することが可能となっている仕切板と、
４）各々の収容部を開閉する回動可能なドア部と、
５）隣接するドア部の対向端部には内方に延びる爪部が設けられ、隣接するドア部の爪部を受ける開口部が仕切板のドアに対向する面に設けられ、ドアが閉じられたときは隣接するドア部の爪部が該開口部に収容され仕切板をロックし、隣接するドアがともに開かれて、隣接する収容部を１つの収容部として使用する場合には、隣接するドア部をともに開け、それらの爪部がともに該開口部から離脱すると、該仕切板のロック状態が外れ回動・退去され隣接する２つの収容部で１つの収容部を形成可能となっており、
６）各々のドア部を施錠する施錠部であって、宅配業者はドアを開いて宅配物を収容部に収容後に当該ドア部を施錠する施錠部と、
７）各々のドア部に設けられ収容部に収容された宅配物を目視することが可能な透明な窓部とからなる、宅配ロッカーであって、
８）宅配業者は宅配物を収容部に収容して当該ドア部を施錠した後、撮像機能付通信装置で透明窓部を介して宅配物に付したＩＤラベルを撮像し、必要に応じてＳＭＳで宅配物を当該宅配ロッカーに宅配したことを知らせることを可能とする、宅配便の再配達を減少させる携帯メールあるいはＳＭＳ(ショートメール)利用可能な宅配ロッカー。
【請求項２】
隣接するドア部の少なくとも一方のドアを収納枠体から離脱させる離脱機構が設けられている、請求項１に記載の宅配ロッカー。
【請求項３】
離脱機構は以下の構成（１）と（２）を有する、請求項２に記載の宅配ロッカー。
（１）宅配ロッカーの一方のドア部の回動端部において、ドア部とそれに対向する収容部枠体のそれぞれの面に開口部が設けられそれら開口部の間に収容部枠体の方向に付勢されてドアを収容部枠体で回動可能に支持する支柱ピンが設けられ、該収容部枠体の開口部から支柱ピンを該一方のドア部の方向に離脱させドア部の回動固定状態を開放する離脱手段が収容部内に設けられ、
（２）該一方のドア部の回動端部と他方のドア部の回動端部の対向するそれぞれの面に開口部が設けられそれら開口部の間に一方の方向に付勢されてドアを回動可能に支持する支柱ピンが設けられ、該一方の方向に存在するドア部の開口部から支柱ピンをドア部の方向に離脱させドア部の回動固定状態を開放する離脱手段が設けられ、それによって該一方のドア部の回動端部を収容部枠体から外せる。
【請求項４】
離脱機構は以下の構成（１）〜（３）を有する、請求項２に記載の宅配ロッカー。
（１）宅配ロッカーにおいて、施錠部として南京錠を用い、南京錠の鍵脚部をドア部に設けた鍵受部及びロッカー本体枠体の棒状の鍵受部の開口部を介して取付けるようになっている。
（２）棒状の鍵受部の後方部はロッカー本体部に設けた溝部に摺動可能に嵌合し、該鍵受部の後方部に設けた開口部及びロッカー本体部溝部に設けた開口部には離脱可能なキャップ部を有するピンの脚部が挿入され、鍵受部はロッカー本体の溝部を摺動することを阻止し、ロッカー本体の溝部から離脱することを阻止する。
（３）鍵受部の後方部に設けた開口部及びロッカー本体部溝部に設けた開口部からピン脚部を離脱させ、鍵受部がロッカー本体の溝部を摺動し、ロッカー本体の溝部から離脱することを可能とする。
【発明の詳細な説明】
【技術分野】
【０００１】
本発明は、荷物を受取り、収容する宅配ボックスに関し、特に宅配便の再配達を減少させるための携帯メールあるいはＳＭＳ(ショートメール)利用可能な宅配ロッカーに関する。
【背景技術】
【０００２】
宅配業者は、人手不足、宅配物の受取人が配達時間帯に不在による荷物の再配達、それに伴う超過勤務の問題及び車両の超過運行及びCO２の発生の増大による環境悪化等の問題点がある。荷物の受取人は、宅配時間に家に待機している必要があり、また不在の時や風呂、シャワー、トイレ等で宅配物を適宜受け取れない場合がある。
【０００３】
従って、宅配業者及び宅配物の受取人から宅配ロッカーの要望は強い。従来、２つの隣接する収容部を仕切板で仕切り、それぞれの収容部に宅配物を収容できるとともに、一つの収容部に収容できない場合には、仕切板を取り外して２つの隣接する収容部を１つの収容部として使用する宅配荷物受取ボックスが提案されている。特許文献１。
【０００４】
また、宅配ボックスの使用状態の変化時に宅配ボックス付近を撮像する撮像手段と宅配ボックスの使用状態の情報を記憶する宅配ボックス状態記憶部等を有する宅配ボックスシステムが提案されている。特許文献２。
【先行技術文献】
【特許文献】
【０００５】
【特許文献１】実開平５−４３９７６
【特許文献２】特開２００２−７８５９８
【発明の概要】
【発明が解決しようとする課題】
【０００６】
本発明は、ドア部の開閉に連動させた簡単な機構により隣接する収容部を仕切板で仕切る仕切板をロック状態から回動・退避させることが可能な宅配ロッカーを提供し、宅配物を収納した後宅配便の宅配を携帯メールあるいはＳＭＳ(ショートメール)で知らせることを可能とする携帯メールあるいはＳＭＳ(ショートメール)利用可能な宅配ロッカーを提供する。さらに、ドアが閉じられた状態でドア部の回動端部を収納部枠体から離脱して外部へ連絡したり、あるいは外部へ脱出することを可能とする宅配ロッカーを提供する。
【課題を解決するための手段】
【０００７】
上記課題を解決するため、本発明は以下の宅配ボックスを提供する。
（請求項１）
１) 箱型宅配ロッカー本体と、
２）宅配ロッカー本体に設けられた少なくとも２つの収容部と、
３）隣接する２つの収容部をロック状態で仕切り、内方端部の周りに一方向に回動可能とされた仕切板であって、隣接する２つの収容部を２つの収容部として使用する場合は該仕切板をロック状態で仕切り、隣接する２つの収容部を１つの収容部として使用する場合にはロック位置から回動・退去し隣接する２つの収容部で１つの収容部を形成することが可能となっている仕切板と、
４）各々の収容部を開閉する回動可能なドア部と、
５）隣接するドア部の対向端部には内方に延びる爪部が設けられ、隣接するドア部の爪部を受ける開口部が仕切板のドアに対向する面に設けられ、ドアが閉じられたときは隣接するドア部の爪部が該開口部に収容され仕切板をロックし、隣接するドアがともに開かれて、隣接する収容部を１つの収容部として使用する場合には、隣接するドア部をともに開け、それらの爪部がともに該開口部から離脱すると、該仕切板のロック状態が外れ回動・退去され隣接する２つの収容部で１つの収容部を形成可能となっており、
６）各々のドア部を施錠する施錠部であって、宅配業者はドアを開いて宅配物を収容部に収容後に当該ドア部を施錠する施錠部と、
７）各々のドア部に設けられ収容部に収容された宅配物を目視することが可能な透明な窓部とからなる、宅配ロッカーであって、
８）宅配業者は宅配物を収容部に収容して当該ドア部を施錠した後、撮像機能付通信装置で透明窓部を介して宅配物に付したＩＤラベルを撮像し、必要に応じてＳＭＳで宅配物を当該宅配ロッカーに宅配したことを知らせることを可能とする、宅配便の再配達を減少させる携帯メールあるいはＳＭＳ(ショートメール)利用可能な宅配ロッカー。
【０００８】
（請求項２）
隣接するドア部の少なくとも一方のドア部を収納枠体から離脱させる離脱機構が設けられている、請求項１に記載の宅配ロッカー。
（請求項３）
離脱機構は以下の構成（１）と（２）を有する、請求項２に記載の宅配ロッカー。
（１）宅配ロッカーの一方のドア部の回動端部において、ドア部とそれに対向する収容部枠体のそれぞれの面に開口部が設けられそれら開口部の間に収容部枠体の方向に付勢されてドアを収容部枠体で回動可能に支持する支柱ピンが設けられ、該収容部枠体の開口部から支柱ピンを該一方のドア部の方向に離脱させドア部の回動固定状態を開放する離脱手段が収容部内に設けられ、
（２）該一方のドア部の回動端部と他方のドア部の回動端部の対向するそれぞれの面に開口部が設けられそれら開口部の間に一方の方向に付勢されてドアを回動可能に支持する支柱ピンが設けられ、該一方の方向に存在するドア部の開口部から支柱ピンをドア部の方向に離脱させドア部の回動固定状態を開放する離脱手段が設けられ、それによって該一方のドア部の回動端部を収容部枠体から外せる。
（請求項4）
離脱機構は以下の構成（１）〜（３）を有する、請求項２に記載の宅配ロッカー。
（１）宅配ロッカーにおいて、施錠部として南京錠を用い、南京錠の鍵脚部をドア部に設けた鍵受部及びロッカー本体枠体の棒状の鍵受部の開口部を介して取付けるようになっている。
（２）棒状の鍵受部の後方部はロッカー本体部に設けた溝部に摺動可能に嵌合し、該鍵受部の後方部に設けた開口部及びロッカー本体部溝部に設けた開口部には離脱可能なキャップ部を有するピンの脚部が挿入され、鍵受部はロッカー本体の溝部を摺動することを阻止し、ロッカー本体の溝部から離脱することを阻止する。
（３）鍵受部の後方部に設けた開口部及びロッカー本体部溝部に設けた開口部からピン脚部を離脱させ、鍵受部がロッカー本体の溝部を摺動し、ロッカー本体の溝部から離脱することを可能とする。
【発明の効果】
【０００９】
本発明に係る宅配ロッカーは、宅配物の大きさに応じて、隣接ドア部の開閉に連動させた簡単な機構により隣接する収容部を仕切る仕切板をロック状態から回動・退避させることによって容易に２つの収容部を１つの統合した収容部とすることができる。
また、宅配物を収納した後宅配便の宅配を携帯メールあるいはＳＭＳ(ショートメール)で受取人に知らせることを可能とするので、宅配したことを受取人へ迅速かつ確実に伝えることができる。この際に宅配ボックス内に収容された宅配物及びＩＤラベルを透明窓部を介して撮像してＳＭＳ（ショートメール）に添付することも可能であり、画像は配達証明として利用することができる。
また、誤って、子供等がドアが閉じられて閉じ込められた状態でもドア部の回動端部を収納部枠体から離脱して外部へ連絡したり、あるいは脱出することが可能となり、安全対策上非常に重要である。
あるいは、施錠部として南京錠を用い、ロッカー本体枠体の鍵受部を棒状とし、南京錠を施錠した状態で棒状の鍵受部をロッカー本体枠体から離脱可能な構成をとることによって、鍵受部はロッカー本体の溝部を摺動することを阻止し、ロッカー本体の溝部から離脱することを阻止する、あるいは鍵受部の後方部に設けた開口部及びロッカー本体部溝部に設けた開口部からピン脚部を離脱させ、鍵受部がロッカー本体の溝部を摺動し、ロッカー本体の溝部から離脱することを可能とすることもできる。
【図面の簡単な説明】
【００１０】
【図１】本発明に係る宅配便の再配達を減少させる携帯メールあるいはＳＭＳ(ショートメール)利用可能な宅配ロッカーの正面図である。
【図２】（ａ）は図1の宅配ロッカーを切断線２（ａ）−２（ａ）に沿って見た断面図であり、（ｂ）は（ａ）の円部内の拡大図である。
【図３】上下に隣接する収容部の上のドアを開いて宅配物を収容した状態の斜視図である。
【図４】宅配物を上の収容部に収納した後ドアを閉じた宅配ロッカーの斜視図である。
【図５】（ａ）は上下のドアを開いて隣接する収容部を仕切板で仕切る仕切板をロック状態から回動・退避させる動作を示す斜視図であり、（ｂ）は１つとした収容部に２つの収容部に跨るサイズの宅配物を収容した宅配ボックスの斜視図である。
【図６】施錠部として南京錠を用いる実施態様であり、（ａ）は南京錠を付けた宅配ロッカーの正面図で、（ｂ）は宅配物を収納後ドアを閉じて南京錠を開錠した状態を示す拡大図で、（ｃ）は宅配物を収納後ドアを閉じて南京錠を施錠した状態を示す拡大図である。
【図７】ドア部離脱装置を有する宅配ロッカーの正面図である。
【図８】（ａ）は離脱装置が上ドア部と下ドア部に跨って延在する図であり、（ｂ）は離脱装置が上ドア部から離脱した状態を示す。
【図９】（ａ）は別のドア部離脱装置を有する宅配ロッカーの斜視図であり、（ｂ）は該ドア部離脱装置の断面図である。
【図１０】（ａ）は収容枠体に取付けたさらに別のドア部離脱装置の断面図であり、（ｂ）はその側面図である。
【図１１】（ａ）はハンコを吊り下げハンコを上下収容部に通す構造を示し、（ｂ）はその平面図で、（ｃ）はハンコを吊り下げ下収容部へ通した状態を示す。
【図１２】ドア部離脱機構の第３の実施態様であり、（ａ）は宅配ロッカーの正面図であり（ｂ）は中央部ドア部離脱機構の拡大図である。
【図１３】第３の実施態様の上ドア部離脱機構の一部拡大図であり、（ａ）は上ドア部の内側左端部に設けた離脱機構の一部拡大図であり、（ｂ）は（ａ）の断面１３（ｂ）−１３（ｂ）から見た図である。
【発明を実施するための形態】
【００１１】
以下に、本発明を実施するための形態を図面を参照して説明する。これらの実施態様は本発明を説明するための例示であるが、本発明をそれらの実施態様に限定して解釈してはならない。請求項に定義する発明に入るものは、全て本発明に属する。
【００１２】
図1は、本発明に係る宅配ロッカー１を示し、図2は図1の切断面２（ａ）−２（ａ）で見た宅配ロッカーの断面図である。２はロッカー本体であり、３はロッカー本体２の内部に設けた上下に隣接する収容部３−１，３−２である。各収容部３−１，３−２を開閉可能なドア部４−１，４−２であり、５−１，５−２は、各ドア部４−１，４−２を施錠する施錠部であって、宅配業者はドアを開いて宅配物を収容部に収容後にドア部を閉じ施錠部により当該ドア部を施錠するようになっている。宅配業者がドアを開く場合は、施錠部はオープンとなっており、宅配物を収容部に収容後にドア部を閉じた段階で施錠部で施錠する。施錠部には図示しない鍵部が設けられ、鍵により開錠できるようになっている。６−１，６−２はドア部の取手部であり、７−１，７−２は各ドア部に設けられ収容部に収容された宅配物を目視することを可能とする透明な窓部７−１，７−２である。なお、透明窓部には、窓部の保護及び防犯上の観点から、開閉自在の蓋をつけてもよい。
【００１３】
８は、隣接する２つの収容部３−１，３−２をロック状態で仕切り、内方端部の周りに上方向に回動可能とされた仕切板であり、９は仕切り板８の上方向の回動を可能とするちょうつがいであり、１０は仕切り板８の下方向の回動を阻止する回動阻止具である。隣接する２つの収容部３−１，３−２を２つの収容部として使用する場合は該仕切板をロック状態で仕切り（図２（ａ））、隣接する２つの収容部を１つの収容部として使用する場合には仕切り板８をロック位置から回動・退去させ隣接する２つの収容部で１つの収容部を形成することが可能となっている。図５（ａ），（ｂ）参照。
【００１４】
隣接するドア部４−１，４−２の対向端部には内方に延びる爪部１１−１，１１−２が取付けられ、隣接するドア部の爪部１１−１，１１−２を受ける開口部１２が仕切板８のドアに対向する面に設けられ、ドア部４−１，４−２が閉じられたときは隣接するドア部の爪部１１−１，１１−２が該開口部１２に収容され仕切板８をロックする。収容部３−１，３−２の両方をつなげて使用する場合には、隣接するドア部４−１，４−２をともに開き、隣接するドア部の爪部１１−１，１１−２をともに該開口部１２から離脱させると、該仕切板のロック状態が外れ、仕切板８を上方へ回動・退去させることができる。それにより、隣接する２つの収容部３−１，３−２で１つの収容部を形成できるようになっている。ドア部４−１、４−２の一方のドア部のみを開いた場合は、開口部１２に入っている爪部と仕切板８の下方向の回動を阻止する回動阻止具１０により仕切板８のロック状態が確実に維持され、隣接する収容部３−１，３−２は仕切られたままとされる。
【００１５】
本発明の宅配ロッカー１では、図３、図４に示すように、宅配業者は宅配物Ｇに不在票等のＩＤラベルＬを付けドア部４−１を開け収容部３−１に宅配物Ｇを収容し当該ドア部４−１を閉めた後、施錠部５−１により施錠する。施錠前に、収容部３−１に宅配物Ｇを収容した状態で撮像してもよい。収容部３−１に収容して施錠した宅配物Ｇ及びそれに付けた不在票等のＩＤラベルＬは透明窓部７−１を介して目視できるので、スマートフォン等の撮像機能付通信装置で透明窓部７−１を介して宅配物及び宅配物に付したＩＤラベルＬを撮像し、撮像機能付通信装置により携帯メールあるいはＳＭＳで宅配物を当該宅配ロッカー１に収納したことを受取人に会社名及び荷物No. とともに知らせることができる。必要に応じて、撮像画像も一緒に送ることができる。携帯では連絡がつかなくても携帯メールあるいはＳＭＳであれば荷受人に連絡をすることが可能である。
【００１６】
撮像画像を保存しておき、宅配証明として利用することができる。ＩＤラベルは、例えば以下の記載を含む。
宅配会社名  ○○○
宅配日      ○○年○月○日
宅配者      ○○○
電話番号    ○○−○○○−○○○
なお、荷受人には帰宅して宅配物を確認後、携帯メールあるいはＳＭＳで宅配物受領確認をしてもらうこともできる。写真については３日程度保存後、問題がなければ消去するか、帰社後会社のＰＣ等に保存することもできる。また、盗難等で受け渡しの確認ができない場合でも、後日受取人に対して宅配物を収納し鍵をかけた状態の写真を納品証明書として提示することもできる。
【００１７】
図５は、隣接するドア部４−１，４−２をともに開き、隣接するドア部の爪部１１−１，１１−２をともに仕切板８の開口部１２から離脱させると、該仕切板のロック状態を外すことによって、仕切板８を上方へ回動・退去させ隣接する２つの収容部で１つの収容部を形成する状態を示す。図５（ａ）は仕切板８が上方へ回動・退去される途中の状態を示し、図５（ｂ）は１つの収容部１５に隣接する収容部に渡るサイズの宅配物Ｇ２を入れた状態を示す。
【００１８】
施錠手段は、南京錠や、施錠する際にはダイヤルを回し開錠する場合には鍵穴にキーを差し込む手動ロック式のシリンダー錠、摺動ロック式のスライダー型キ―等のものを用いることができる。
図６（ａ）、（ｂ）、（ｃ）は施錠部として南京錠１６を用いた実施態様である。南京錠１６は逆Ｕ字状ロッド形式の鍵脚部１６ａと南京錠本体１６ｂとからなり、ドア部及び対向する宅配ロッカー本体には南京錠の逆Ｕ字状ロッド形式の鍵脚部１６ａを取り付ける鍵受部１７ａ、１７ｂが設けられ、鍵脚部１６ａが鍵受部１７ａ、１７ｂに渡って取付けできるようになっている。図６（ａ）は南京錠を鍵受部１７ａ、１７ｂに渡って取付けた状態で、図６（ｂ）は南京錠の逆Ｕ字状ロッド形式の鍵部をかけ開錠した状態を示し、図６（ｃ）は南京錠本体に逆Ｕ字状ロッド形式の鍵部を押し込んで施錠した状態を示す。施錠状態では南京錠を開くことはできず、受取人が鍵を使って南京錠を開鍵する。また、宅配物Ｇ２の上部に付けた不在票等のＩＤラベルＬは透明窓部７−１を介して目視できるので、この場合も同様に、スマートフォン等の撮像機能付通信装置で透明窓部７−１を介して宅配物に付したＩＤラベルＬを撮像し、撮像機能付通信装置により携帯メールあるいはＳＭＳで宅配物を当該宅配ロッカー１に収納したことを知らせることができ、必要に応じて、撮像画像も一緒に送ることができる。携帯では連絡がつかなくても携帯メールあるいはＳＭＳであれば荷受人に連絡をすることが可能である。
【００１９】
図７は、隣接するドア部の少なくとも一方のドアに該ドア部の回動端部を宅配ボックス枠体から離脱させる機構が収容部内部に設けられた宅配ロッカーを示し、図８は図７の離脱機構の拡大図である。
離脱機構は、上ドア部４−１の回動端部において上ドア部４−１とそれに対向する収容部枠体２ａの上枠体部との間に設けられた第1の離脱機構２０ａと下ドア部の回動端部と下ドア部４−２の回動端部との間に設けられた第2の離脱機構２０ｂとからなる。
【００２０】
図８（ａ）、（ｂ）は上ドア部の回動端部と下ドア部４−２の回動端部との間に設けられた第2の離脱機構２０ｂの構造の拡大図を示すが、上ドア部４−１の回動端部において上ドア部４−１とそれに対向する収容部枠体２ａの上枠体部との間に設けられた第1の離脱機構２０ａも同様の構造を有する。
離脱機構２０ｂにおいて、上ドア部４−１の回動端部と下ドア部４−２の回動端部の間には支柱ピン２１が保持され、上ドア部の開口部２２ａ、下ドア部の開口部２２ｂと上下ドア部４−１、４−２の間に固定した支柱ピン保持板２３の開口部２２ｃと下ドア部の下方に設けた支柱ピン支承板２４の開口部２２ｄを通されている。下ドア部の下側に設けたばね止め用つば２５の下の断面顎状のバネ留め具２６と支柱ピン支承板２４上に設けた断面顎状のバネ留め具２６の間の支柱ピン２１の周りに圧縮ばね２７が装着されている。バネ留め具２６は、圧縮ばね２７の端部を支柱ピン２１の周りに位置決めする。
【００２１】
離脱ひも具２８が、ロッカー本体内に設けられている。離脱ひも具２８は離脱ひも２８ａと離脱輪２８ｂとからなり、ばね止め用つば２５に対して離脱ひも具２８が連結されている。本実施態様では第1の離脱機構２０ａと第2の離脱機構２０ｂに対して離脱輪２８ｂに繋がる離脱ひも具２８、２８が連結されているが、離脱機構２０ａと離脱機構２０ｂのそれぞれに対して別の離脱ひも具を連結しても良い。
万一、子供等が収容部に閉じ込められた場合には、収容部内部において圧縮ばね２７に抗して離脱ひも具２８の離脱輪２８ｂを下方に引くと支柱ピン２１の上部が上ドア部４−１から離脱し、また上方の支柱ピンが上方のロッカー本体から外れ、それによって上ドアの回動端部をロッカー本体から外すことができるようになっている。これにより、万一収容部に閉じ込められても離脱機構により上ドア部４−１の回動端部が対向収容部枠体から離脱し外部に出ることが可能となる。なお、本発明に係る宅配ロッカーは透明窓部が設けられているので、内部はある程度の明るさが保たれ、離脱機構を容易に操作可能となる。
【００２２】
なお、図７の２９は下ドア部４−２とロッカー本体２の下枠体部との間に設けた回動支持機構であり、回動支持機構２９は下ドア部４−２とロッカー本体の下枠体部に渡って延びる支柱ピンを有する。詳細については割愛する。
【００２３】
図９（ａ）、（ｂ）は離脱機構の第１の実施態様である。
本実施態様では、施錠部として南京錠を用いており（図６（ａ），（ｂ）参照）、南京錠の鍵脚部１６ａを鍵受部３１ａ、３１ｂの開口部３３ａ，３３ｂを介して取り付けできる。鍵受部３１ａの後方部はロッカー本体部に設けた溝部３０に摺動可能に嵌合し、鍵受部３１ａの後方部及びロッカー本体部溝部３０に設けた開口部には離脱可能なピン３２の脚部３２ｂが挿入されている。３２ａはピン３２のキャップ部である。これにより、鍵受部３１ａはロッカー本体の溝部３０を摺動することが阻止され、またロッカー本体の溝部３０から離脱することが阻止されている。
【００２４】
本実施態様では離脱ヒモ３６ａと離脱輪３６ｂとからなる離脱ヒモ具３６が設けられ、離脱ヒモ３６ａの一端部はピン３２のキャップ部３２ａと鍵受部３１ａの間の脚部３２ｂの周りに連結され、離脱ヒモ３６ａの他端部には離脱輪３６ｂが連結されている。本実施態様では上ドア部について離脱機構を設けた例について説明したが、同様の離脱機構を下ドア部に設けることができる。
万一、子供等が収容部に閉じ込められた場合には、離脱輪３６ｂを引くと離脱ヒモ３２ａを介して離脱ピン３２の脚部３２ｂが鍵受部３１ａの後方部の開口部及びロッカー本体部溝部３０の開口部から離脱し、それによって鍵受部３１ａは溝部３０に沿って摺動可能となる。また、収容部枠体２とドア部４−１の対向側面との間には間隙があるので、ドア部を外側に押すことによって鍵受部３１ａの一部あるいは全体が溝部３０から離脱し、上ドア部４−１をさらに内部から押すことによって上ドア部４−１を外側に開くことが可能となる。下ドア４−２の離脱機構についても同様である。
【００２５】
図１０（ａ）、（ｂ）は離脱機構の第２の実施態様であり、（ａ）は収容枠体に取付けたドア部離脱装置の断面図であり、（ｂ）はその側面図である。
本実施態様では、施錠部として南京錠を用いており、南京錠の鍵脚部を鍵受部３７ａに渡って取り付けできるようになっている（図6（ａ）、（ｂ）参照）。鍵受部３７ａはロッカー本体部に外側に設けた一対の摺動ガイド３８ａと３８ｂの間に摺動可能に装着され、摺動ガイド後方の鍵受部３７ａに設けた溝部４０にテコ離脱手段４１の離脱爪４１ａが嵌合されている。テコ離脱手段４１はテコ棒部４１ｂ、テコ棒部４１ｂの先端の離脱爪４１ａ、テコ棒部中央部のテコ支点４１ｃとテコ力点部４１ｄとからなっている。
本実施態様においても、子供等が収容部に閉じ込められた場合には、テコ力点部４１ｄを押し下げることによって離脱爪４１ａが鍵受部３７ａの溝部４０から外れて鍵受部３７ａは一対の摺動ガイド３８ａと３８ｂの間を摺動可能となる。収容部枠体２とドア部４−１の対向側面との間には間隙があるので、ドア部を外側に押すことによって、鍵受部３７ａは一部あるいは全体的に摺動ガイド３８ａ，３８ｂの間から離脱し、上ドア部４−１をさらに内部から押すことによって上ドア部４−１を外側に開くことが可能となる。なお、３９は南京錠の鍵脚部１６ａを通す鍵受部３１ａの開口部である。
【００２６】
図１１は、収容部内にハンコを吊り下げる実施態様を示す。
同図において、ハンコ吊り下げフック５０が上収納部３−１内で仕切板８の上方の所定の位置に設置され、フック５０の下方の仕切板８のフックと対応する個所にハンコを通すための開口部５１が設けられ、ハンコ５２はハンコ吊り下げフック５０に掛けたハンコ吊り下げヒモ５３によって吊り下げられ、ハンコ５２は上収納部３−１と下収納部との間を開口部５１を介して行き来させることができるようになっている。このように、収容部内にハンコ５２を吊り下げておけば、宅配業者は配達票に配達済みのハンコを押すことによって、配達したことの証明とすることができる。また、仕切板８にハンコ用開口部５１を設けて、ハンコ５２をこの開口を通して上下の収容部の間を移動させることによりハンコ５２を上下の収容部３−１，３−２で共用することもできる。
【００２７】
図１２はドア部離脱機構の第３の実施態様であり、（ａ）は宅配ロッカーの正面図であり、（ｂ）は宅配ロッカー中央部右側部のドア部離脱機構の拡大図である。図１２（ａ）の宅配ロッカーは、図１の宅配ロッカーと枠体本体の右側支柱の中央部に支柱ロッド支持部６０が溶接されており、上ドア部４−１の右側下端部及び下ドア部４−２の右側上端部は支柱ロッド支持部６０に合わせた凹部形状となっている。本実施例のドア部離脱機構は、収容部枠体２ａの上部と上ドア部４−１の右上端部との間のドア部離脱機構６１ａと、上ドア部の右下端部の凹部と支柱ロッド支持部６０との間のドア部離脱機構６１ｂ−１と、支柱ロッド支持部６０と下ドア部右上端部の凹部との間のドア部離脱機構６１ｂ−２と、下ドア部右下端部と収容部枠体２ａの下部との間のドア部離脱機構６１ｃとからなる。ドア部離脱機構６１ａと６１ｂ−１は上ドア部４−１の内側側面に設けられ、ドア部離脱機構６１ｂ−２と６１ｃは下ドア部４−２の内側側面に設けられている。
【００２８】
図１３（ａ）は第３の実施態様の上ドア部内側側面に設けた離脱機構の一部拡大図であり、（ａ）は上ドア部の内側左端部に設けた離脱機構の一部拡大図であり、（ｂ）は（ａ）の断面１３（ｂ）−１３（ｂ）から見た図である。より詳しくは、収容部枠体２ａの上部と上ドア部４−１の右上端部内側との間のドア部離脱機構６１ａと、上ドア部４−１の右下端部の凹部と支柱ロッド支持部６０との間のドア部離脱機構６１ｂ−１を示す。支柱ロッド６２ａは上ドア部裏面に固定した支柱ロッド支持具６３ａの上下フランジ部６３ａ−１と６３ａ−２の貫通口を貫通し、支柱ロッド６２ａの上端部は上ドア部４−１の上端部に開口する穴部に挿入され、さらに対応する枠体本体２ａの端面に設けた穴部に挿入される。フランジ部６３ａ−１と６３ａ−２との間の支柱ロッド６２ａの周りで、かつ上フランジ部６３ａ−１下方で支柱ロッドに一体的に設けられたストッパー６４ａと下フランジ６３ａ−２の間には圧縮ばね６５ａが設けられている。離脱ヒモ６６ａの上端部は上フランジ部６３ａ−１下のストッパー６４ａ上の支柱ロッド６２ａに取付けられ、下端部は離脱輪６８に固定されている。
【００２９】
上ドア部４−１の右下端部の凹部と支柱ロッド支持部６０との間のドア部離脱機構６１ｂ−１は、収容部枠体２ａの上部と上ドア部の右上端部との間のドア部離脱機構６１ａとほぼ同様の構成を有し、支柱ロッド６２ｂは上ドア部裏面に固定した支柱ロッド支持具６３ｂの上下フランジ部６３ｂ−１と６３ｂ−２の貫通口を貫通し、支柱ロッド６２ｂの下端部は対応する支柱ロッド支持部６０の端面に設けた穴部に挿入されている。フランジ部６３ｂ−１と６３ｂ−２との間の支柱ロッド６２ａの周りで、かつ下方フランジ部６３ｂ−２の上の支柱ロッドの周りに一体的に設けたストッパー６４ｂと上方フランジ６３ｂ−１との間には圧縮ばね６５ｂが設けられている。離脱ヒモ６６ｂの下端部はフランジ部６３ｂ−２上のストッパー６４ｂの下の支柱ロッド６２ｂに取付けられ、他端部は下フランジ６３ａ−２の底面に設けたフック７０を介して離脱輪６８に固定されている。
【００３０】
上ドア部を収納枠体２ａから上ドア部４−１を離脱させる場合には、離脱輪６８を下方に引き下げると、離脱ひも６６ａがストッパー６４ａを介して支柱ロッド６２ａを圧縮ばね６５ａに抗して押し下げ、支柱ロッド６２ａの上端部は収納枠体２ａの端面の穴部から離脱し、同時に離脱ひも６６ｂはフック７０を通りストッパー６４ｂを介して支柱ロッド６２ｂを圧縮ばね６５ｂに抗して押し上げ、支柱ロッド６２ｂの下端部は支柱ロッド支持部端面に開口する穴部から離脱する。それによって、上ドア部４−１の右側面端部は収納枠体２ａから容易に離脱させることが出来る。
【００３１】
下ドア部４−２の支柱ロッド支持部６０と下ドア部４−２の右上端部の凹部との間のドア部離脱機構６１ｂ−２と、下ドア部４−２の右下端部と収容部枠体２ａの下部との間のドア部離脱機構６１ｃとは上ドア部のドア部離脱機構６１ｂ−１と６１ａと上下さかさまであることを除けば、構成が同一であるので説明は省略する。
【産業上の利用可能性】
【００３２】
本発明に係る宅配ロッカーは、簡単な機構を用いて個々の収容部を独立に使用するとともに、大きさに応じて容易に２つの収容部を１つの統合した収容部とすることができる。また、宅配物を収納した後宅配便の宅配を携帯メールあるいはＳＭＳ(ショートメール)で受取人に知らせることを可能とするので、宅配したことを受取人へ迅速かつ確実に伝えることができ、この際に宅配ボックス内に収容された宅配物及びＩＤラベルを透明窓部を介して撮像してショートメールに添付することも可能であり、画像は配達証明として利用することができる。
【００３３】
また、誤って、子供等がドアが閉じられて閉じ込められた状態でもドア部の回動端部を収納部枠体から離脱して外部へ連絡したり、あるいは脱出することが可能となり、安全対策上非常に重要である。収容部内にハンコを吊り下げておけば、宅配業者は配達票に配達済みのハンコを押すことによって、配達したことの証明とすることができ、仕切板にハンコ用開口部を設けることによりハンコを上下の収容部で共用することもできる。従って、本発明に係る宅配ロッカーは産業上の利用可能性が大きい。
【符号の説明】
【００３４】
１・・・宅配ロッカー、２・・・ロッカー本体、２ａ・・・収容部枠体、３−１，３−２・・・収容部、４−１，４−２・・・ドア部、５−１，５−２・・・施錠部、６−１，６−２・・・取手部、７−１，７−２・・・透明窓部、８・・・仕切板、９・・・ちょうつがい、１０・・・回動阻止具、１１−１，１１−２・・・爪部、１２・・・爪部受け開口部、１５・・・一体化した収容部、１６・・・南京錠、１６ａ・・・逆Ｕ字状ロッド形式の鍵脚部、１６ｂ・・・南京錠本体、１７ａ、１７ｂ・・・鍵受部、２０ａ、２０ｂ・・・離脱機構、２１・・・支柱ピン、２２ａ、２２ｂ、２２ｃ・・・開口部、２３・・・支柱ピン保持板、２４・・・バネ留め具、２５・・・ばね止め用つば、２６・・・圧縮ばね、２７・・・圧縮リング、２８・・・離脱ひも具、２８ａ・・・離脱ひも、２８ｂ・・・離脱輪、２９・・・回動支持機構、３０・・・溝部、３１ａ，３１ｂ・・・鍵受部、３２・・・離脱可能なピン、３２ａ・・・キャップ部、３２ｂ・・・脚部、３３ａ，３３ｂ・・・開口部、３６・・・離脱ヒモ具、３６ａ・・・離脱ヒモ、３６ｂ・・・離脱輪、３７ａ・・・鍵受部・・・３８ａ，３８ｂ・・・摺動ガイド、３９・・・開口部、４０・・・溝部、４１・・・テコ離脱手段、４１ａ・・・離脱爪、４１ｂ・・・テコ棒部、４１ｃ・・・テコ支点、４１ｄ・・・テコ力点部、５０・・・ハンコ吊り下げフック、５１・・・開口部、５２・・・ハンコ、５３・・・ハンコ吊り下げヒモ、６０・・・支柱ロッド支持部、６１ａ、６１ｂ-１、６１ｂ−２、６１ｃ・・・ドア部離脱機構、６２ａ、６２ｂ・・・支柱ロッド、６３ａ、６３ｂ・・・支柱ロッド支持具、６３ａ−１、６３ｂ−１・・・上フランジ部、６３ａ−２、６３ｂ−２・・・下フランジ部、６４ａ、６４ｂ・・・ストッパー、６５ａ、６５ｂ・・・圧縮ばね、６６ａ、６６ｂ・・・離脱ヒモ、６８・・・離脱輪６８，７０・・・フック、Ｇ，Ｇ２・・・宅配物、Ｌ・・・ＩＤラベル
【図１】
2019118618.tif 000003
【図２】
2019118618.tif 000004
【図３】
2019118618.tif 000005
【図４】
2019118618.tif 000006
【図５】
2019118618.tif 000007
【図６】
2019118618.tif 000008
【図７】
2019118618.tif 000009
【図８】
2019118618.tif 000010
【図９】
2019118618.tif 000011
【図１０】
2019118618.tif 000012
【図１１】
2019118618.tif 000013
【図１２】
2019118618.tif 000014
【図１３】
2019118618.tif 000015